(57)【要約】【課題】継ぎ足し充電によるリチウムイオン電池からなる二次電池の劣化を防止できる充電器を提供する。【解決手段】リチウムイオン電池からなる二次電池３の充電前の電池電圧Ｖｂ０が閾値Ｖｂ０ａを超えた状態で充電がなされた回数を高電圧時充電回数ｎとする。二次電池３の高電圧時充電回数ｎを検知する高電圧時充電回数検知手段を備える。充電対象となる二次電池３の高電圧時充電回数ｎが基準回数を超えているか否かを判定する高電圧時充電回数判定手段１２を備える。充電対象となる二次電池３の高電圧時充電回数ｎが基準回数を超えている時に当該二次電池３の充電電圧Ｖを通常充電時よりも低く設定して低電圧充電を行う充電制御手段９を備える。【選択図】        図１
2009089516.tif 000002
【特許請求の範囲】
【請求項１】
定電流定電圧充電方式でリチウムイオン電池からなる二次電池の充電を行う充電器であって、二次電池の充電前の電池電圧Ｖｂ０が閾値Ｖｂ０ａを超えた状態で充電がなされた回数を高電圧時充電回数ｎとし、二次電池の高電圧時充電回数ｎを検知する高電圧時充電回数検知手段と、充電対象となる二次電池の高電圧時充電回数ｎが基準回数を超えているか否かを判定する高電圧時充電回数判定手段と、充電対象となる二次電池の高電圧時充電回数ｎが基準回数を超えている時に当該二次電池の充電電圧Ｖを通常充電時よりも低く設定して低電圧充電を行う充電制御手段を備えて成ることを特徴とする充電器。
【請求項２】
充電対象となる二次電池の充電前の電池電圧Ｖｂ０が閾値Ｖｂ０ａを超えているか否かを判定する充電前電池電圧判定手段を備え、充電対象となる二次電池の電池電圧Ｖｂ０が閾値Ｖｂ０ａを超えていない時と、電池電圧Ｖｂ０が閾値Ｖｂ０ａを超えているが高電圧時充電回数ｎが基準回数を超えていない時に、当該二次電池の定電圧充電時における充電電圧Ｖを所定電圧Ｖｈに設定して前記通常充電を行い、電池電圧Ｖｂ０が閾値Ｖｂ０ａを超え且つ高電圧時充電回数ｎが基準回数を超えている時に、当該二次電池の定電圧充電時における充電電圧Ｖを前記所定電圧ＶＨよりも低い所定電圧ＶＬに設定して前記低電圧充電を行う充電制御手段を備えて成ることを特徴とする請求項１に記載の充電器。
【請求項３】
二次電池の総充電回数Ｎを検知する総充電回数検知手段を備え、上記高電圧時充電回数判定手段は、充電対象となる二次電池の高電圧時充電回数ｎが予め設定された所定回数ｎａを超えているか否かを判定する第一判定手段と、充電対象となる二次電池の高電圧時充電回数ｎが当該二次電池の総充電回数Ｎに所定比率Ｘを乗じた値を超えているか否かを判定する第二判定手段を備え、充電対象となる二次電池の電池電圧Ｖｂ０が閾値Ｖｂ０ａを超えていない時と、充電対象となる二次電池の電池電圧Ｖｂ０が閾値Ｖｂ０ａを超えているが、高電圧時充電回数ｎが所定回数ｎａ又は当該二次電池の総充電回数Ｎに所定比率Ｘを乗じた値の少なくともいずれか一方を超えていない時に、前記通常充電を行い、充電対象となる二次電池の電池電圧Ｖｂ０が閾値Ｖｂ０ａを超え、且つ高電圧時充電回数ｎが所定回数ｎａを超え、且つ高電圧時充電回数ｎが当該二次電池の総充電回数Ｎに前記所定比率Ｘを乗じた値を超えた時に、前記低電圧充電を行う充電制御手段を備えて成ることを特徴とする請求項２に記載の充電器。
【発明の詳細な説明】
【技術分野】
【０００１】
本発明はリチウムイオン電池からなる二次電池を充電するための充電器に関する。
【背景技術】
【０００２】
従来、ニカド電池やニッケル水素電池、リチウムイオン電池等の二次電池を充電するための充電器として例えば特許文献１に示す充電器が利用されており、このものは電動工具の電源となる電池パックに内蔵される二次電池を充電するものである（例えば特許文献１）。
【０００３】
ところで、上記のような充電器を用いて二次電池を残容量が多い状態で充電を開始する継ぎ足し充電を頻繁に行うと、二次電池がニカド電池やニッケル水素電池の場合にはメモリ効果現象が生じる恐れがある。また、リチウムイオン電池にあっては前記メモリ効果現象の問題は改善されるが、残容量が多い状態で頻繁に充電が行われると劣化しやすいという問題がある。
【特許文献１】特開２００７−２３６０２７号公報
【発明の開示】
【発明が解決しようとする課題】
【０００４】
本発明は上記従来の問題点に鑑みてなされたものであって、継ぎ足し充電によるリチウムイオン電池からなる二次電池の劣化を防止できる充電器を提供することを課題とする。
【課題を解決するための手段】
【０００５】
上記課題を解決するために本発明に係る充電器は、定電流定電圧充電方式でリチウムイオン電池からなる二次電池３の充電を行う充電器であって、二次電池３の充電前の電池電圧Ｖｂ０が閾値Ｖｂ０ａを超えた状態で充電がなされた回数を高電圧時充電回数ｎとし、二次電池３の高電圧時充電回数ｎを検知する高電圧時充電回数検知手段と、充電対象となる二次電池３の高電圧時充電回数ｎが基準回数を超えているか否かを判定する高電圧時充電回数判定手段１２と、充電対象となる二次電池３の高電圧時充電回数ｎが基準回数を超えている時に当該二次電池３の充電電圧Ｖを通常充電時よりも低く設定して低電圧充電を行う充電制御手段９を備えて成ることを特徴とする。
【０００６】
上記構成により、充電対象となる二次電池３の高電圧時充電回数ｎが基準回数を超えている時、即ち、過去に残容量が多い状態で充電された回数が多い二次電池３が充電器１にセットされた時には、当該二次電池３の充電電圧Ｖを通常充電時よりも低く設定でき、二次電池３の電池寿命と相関関係がある充電の電気量を少なくできる。
【０００７】
また、請求項２は請求項１において、充電対象となる二次電池３の充電前の電池電圧Ｖｂ０が閾値Ｖｂ０ａを超えているか否かを判定する充電前電池電圧判定手段１１を備え、充電対象となる二次電池３の電池電圧Ｖｂ０が閾値Ｖｂ０ａを超えていない時と、電池電圧Ｖｂ０が閾値Ｖｂ０ａを超えているが高電圧時充電回数ｎが基準回数を超えていない時に、前記通常充電を行い、電池電圧Ｖｂ０が閾値Ｖｂ０ａを超え且つ高電圧時充電回数ｎが基準回数を超えている時に、当該二次電池３の定電圧充電時における充電電圧Ｖを前記所定電圧ＶＨよりも低い所定電圧ＶＬに設定して前記低電圧充電を行う充電制御手段９を備えて成ることを特徴とする。
【０００８】
上記構成により、充電対象となる二次電池３の電池電圧Ｖｂ０が閾値Ｖｂ０ａを超えていない時と、電池電圧Ｖｂ０が閾値Ｖｂ０ａを超えているが高電圧時充電回数ｎが基準回数を超えていない時に、当該二次電池３の定電圧充電時における充電電圧Ｖを所定電圧Ｖｈに設定して通常充電を行い、電池電圧Ｖｂ０が閾値Ｖｂ０ａを超え且つ高電圧時充電回数ｎが基準回数を超えている時に、当該二次電池３の定電圧充電時における充電電圧Ｖを前記所定電圧ＶＨよりも低い所定電圧ＶＬに設定して低電圧充電を行うことができる。
【０００９】
また、請求項３は請求項２において、二次電池３の総充電回数Ｎを検知する総充電回数検知手段を備え、上記高電圧時充電回数判定手段１２は、充電対象となる二次電池３の高電圧時充電回数ｎが予め設定された所定回数ｎａを超えているか否かを判定する第一判定手段１２ｂと、充電対象となる二次電池３の高電圧時充電回数ｎが当該二次電池３の総充電回数Ｎに所定比率Ｘを乗じた値を超えているか否かを判定する第二判定手段１２ｃを備え、充電対象となる二次電池３の電池電圧Ｖｂ０が閾値Ｖｂ０ａを超えていない時と、充電対象となる二次電池３の電池電圧Ｖｂ０が閾値Ｖｂ０ａを超えているが、高電圧時充電回数ｎが所定回数ｎａ又は当該二次電池３の総充電回数Ｎに所定比率Ｘを乗じた値の少なくともいずれか一方を超えていない時に、当該二次電池３の定電圧充電時における充電電圧Ｖを所定電圧Ｖｈに設定して通常充電を行い、充電対象となる二次電池３の電池電圧Ｖｂ０が閾値Ｖｂ０ａを超え、且つ高電圧時充電回数ｎが所定回数ｎａを超え、且つ高電圧時充電回数ｎが当該二次電池３の総充電回数Ｎに前記所定比率Ｘを乗じた値を超えた時に、前記低電圧充電を行う充電制御手段９を備えて成ることを特徴とする。
【００１０】
上記構成により、充電対象となる二次電池３の電池電圧Ｖｂ０が閾値Ｖｂ０ａを超えていない時と、充電対象となる二次電池３の電池電圧Ｖｂ０が閾値Ｖｂ０ａを超えているが、高電圧時充電回数ｎが予め設定された所定回数ｎａ又は当該二次電池３の総充電回数Ｎに所定比率Ｘを乗じた値の少なくともいずれか一方を超えていない時に、当該二次電池３の定電圧充電時における充電電圧Ｖを所定電圧Ｖｈに設定して通常充電を行い、充電対象となる二次電池３の電池電圧Ｖｂ０が閾値Ｖｂ０ａを超え、且つ高電圧時充電回数ｎが予め設定された所定回数ｎａを超え、且つ高電圧時充電回数ｎが当該二次電池３の総充電回数Ｎに前記所定比率Ｘを乗じた値を超えた時に、当該二次電池３の定電圧充電時における充電電圧Ｖを前記所定電圧ＶＨよりも低い所定電圧ＶＬに設定して低電圧充電を行うことができる。
【発明の効果】
【００１１】
請求項１に係る発明では、充電対象となる二次電池の高電圧時充電回数ｎが基準回数を超えている時、即ち、過去に残容量が多い状態で充電された回数が多い二次電池が充電器にセットされた時には、当該二次電池の充電電圧Ｖを通常充電時よりも低く設定でき、二次電池の電池寿命と相関関係がある充電の電気量を少なくでき、例えば残容量を多く残して継ぎ足し充電を頻繁に行うユーザーがいたとしても、該ユーザーが使用する二次電池の急激な劣化を抑えて電池寿命を長くできる。
【００１２】
また請求項２に係る発明では、請求項１に係る発明の効果に加えて、充電対象となる二次電池の電池電圧Ｖｂ０が閾値Ｖｂ０ａを超えていない時と、電池電圧Ｖｂ０が閾値Ｖｂ０ａを超えているが高電圧時充電回数ｎが基準回数を超えていない時に、当該二次電池の定電圧充電時における充電電圧Ｖを所定電圧Ｖｈに設定して通常充電を行い、電池電圧Ｖｂ０が閾値Ｖｂ０ａを超え且つ高電圧時充電回数ｎが基準回数を超えている時に、当該二次電池の定電圧充電時における充電電圧Ｖを前記所定電圧ＶＨよりも低い所定電圧ＶＬに設定して低電圧充電を行うことができ、充電器によって充電される二次電池が継ぎ足し充電が頻繁になされたものであったとしても、当該二次電池の電池電圧Ｖｂが高いものであれば、つまり残容量が少ないものであれば、定電圧充電時における充電電圧Ｖを高く設定した通常充電を行うことができて充分な充電を行うことができる。
【００１３】
また請求項３に係る発明では、請求項２に係る発明の効果に加えて、充電対象となる二次電池の電池電圧Ｖｂ０が閾値Ｖｂ０ａを超えていない時と、充電対象となる二次電池の電池電圧Ｖｂ０が閾値Ｖｂ０ａを超えているが、高電圧時充電回数ｎが予め設定された所定回数ｎａ又は当該二次電池の総充電回数Ｎに所定比率Ｘを乗じた値の少なくともいずれか一方を超えていない時に、当該二次電池の定電圧充電時における充電電圧Ｖを所定電圧Ｖｈに設定して通常充電を行い、充電対象となる二次電池の電池電圧Ｖｂ０が閾値Ｖｂ０ａを超え、且つ高電圧時充電回数ｎが予め設定された所定回数ｎａを超え、且つ高電圧時充電回数ｎが当該二次電池の総充電回数Ｎに前記所定比率Ｘを乗じた値を超えた時に、当該二次電池の定電圧充電時における充電電圧Ｖを前記所定電圧ＶＨよりも低い所定電圧ＶＬに設定して低電圧充電を行うことができ、過去に残容量が多い状態で二次電池が充電された回数が多く、且つ過去に残容量が多い状態で二次電池が充電された頻度が高い場合にのみ低電圧充電を行って電池寿命が短くなることを防止できる。
【発明を実施するための最良の形態】
【００１４】
以下、本発明を添付図面に示す実施形態に基づいて説明する。本実施形態の一例の充電器１は電動工具の電源を構成する電池パック２を充電するものであり、図１に充電器と電池パックのブロック図を示す。
【００１５】
充電器１の充電対象となる電池パック２は電動ドライバのような電動工具に着脱自在に取り付けられるものであって、リチウムイオン電池からなる二次電池３を内蔵している。この電池パック２には図示しない電池パック側接続端子を設けてあり、電池パック側接続端子は充電を行うために電池パック２を充電器１にセットした状態で充電器１に設けた充電器側接続端子（図示せず）に接続され、これにより電池パック２は充電器１に電気的に接続される。また、電池パック２は、当該電池パック２の二次電池３が充電器１により充電された回数である総充電回数Ｎを記憶する総充電回数記憶手段５と、当該電池パック２の二次電池３が充電前の電池電圧Ｖｂ０が閾値Ｖｂ０ａを超えた状態で充電がなされた回数である高電圧時充電回数ｎを記憶する高電圧時充電回数記憶手段６を備えている。総充電回数記憶手段５及び高電圧時充電回数記憶手段６は共に電池パック２に設けたメモリ４で構成される。
【００１６】
一方、充電器１は、充電制御手段９と、電圧検知手段１０と、充電前電池電圧判定手段１１と、高電圧時充電回数判定手段１２と、書換手段１３を備え、これらは全て充電器１に設けた制御回路８によって構成され、商用電源に接続される。
【００１７】
充電制御手段９は充電対象となる二次電池、即ち充電器１にセットされた電池パック２の二次電池３を商用電源からの電力を基に定電流定電圧充電方式で充電する。定電流定電圧充電は電流値一定で充電を行う定電流充電の後に電圧値一定で充電を行う定電圧充電を行うものである。また、本例の充電制御手段９は前記二次電池３の定電流定電圧充電における定電圧充電時の充電電圧Ｖを可変にしてあり、定電圧充電時における充電電圧Ｖを所定電圧ＶＨに設定した定電流定電圧充電からなる「通常充電」と、定電圧充電時における充電電圧Ｖを所定電圧ＶＨよりも低い所定電圧ＶＬとした定電流定電圧充電からなる「低電圧充電」との２種類の充電方法のうち、いずれか一方の選択された充電方法で充電を行うものである。なお、通常充電及び低電圧充電における定電流充電時の電流値は同じ値に設定するものとする。また、定電流充電から定電圧充電への移行は定電流充電時における充電電圧Ｖが所定値に達した時点で行うものであり、この際の所定値は例えば通常充電が所定電圧ＶＨであり且つ低電圧充電が所定電圧ＶＬであっても良いし、通常充電及び低電圧充電共に所定電圧ＶＨであっても良いものとする。
【００１８】
電圧検知手段１０は充電器１にセットされた電池パック２の二次電池３の電池電圧Ｖｂを検知する。ここで、二次電池３の容量は電池電圧Ｖｂに比例するので、前記電圧検知手段１０により検知された電池電圧Ｖｂは二次電池３の残容量の指標となるものである。充電前電池電圧判定手段１１は前記電圧検知手段１０により検知した二次電池３の充電前の電池電圧Ｖｂ０が予め設定した閾値Ｖｂ０ａを超えているか否かを判定する。高電圧時充電回数判定手段１２は充電器１にセットされた電池パック２の高電圧時充電回数記憶手段６で記憶した高電圧時充電回数ｎを読み出し、該高電圧時充電回数ｎと基準回数を比較して高電圧時充電回数ｎが基準回数を超えているか否かを判定する。
【００１９】
ここで、本例の高電圧時充電回数判定手段１２は、読出手段１２ａと第一判定手段１２ｂと第二判定手段１２ｃとで構成してある。読出手段１２ａは充電器１にセットされた電池パック２の総充電回数記憶手段５で記憶した総充電回数Ｎ及び同電池パック２の高電圧時充電回数記憶手段６で記憶した高電圧時充電回数ｎを読み出すものであり、つまり本例では、読出手段１２ａが、二次電池３の総充電回数Ｎを検知する総充電回数検知手段と、二次電池３の高電圧時充電回数ｎを検知する高電圧時充電回数検知手段を構成する。第一判定手段１２ｂは読出手段１２ａで読み出した高電圧時充電回数ｎが予め設定された所定回数ｎａを超えているか否かを判定する。第二判定手段１２ｃは読出手段１２ａで読み出した高電圧時充電回数ｎが読出手段１２ａで読み出した総充電回数Ｎに所定比率Ｘを乗じた値を超えているか否かを判定する。なお、本実施例では所定比率Ｘを８０％に設定している。そして、高電圧時充電回数判定手段１２は、第一判定手段１２ｂにより高電圧時充電回数ｎが所定回数ｎａを超えているという判定がなされ、且つ第二判定手段１２ｃにより高電圧時充電回数ｎが総充電回数Ｎに所定比率Ｘを乗じた値を超えているという判定がなされた場合にのみ、高電圧時充電回数ｎが基準回数を超えていると判定し、それ以外、即ち、高電圧時充電回数ｎが所定回数ｎａ又は総充電回数Ｎに所定比率Ｘを乗じた値の少なくともいずれか一方を超えていない時には、高電圧時充電回数ｎが基準回数を超えてないと判定する。つまり本例の高電圧時充電回数判定手段１２は所定回数ｎａと総充電回数Ｎに所定比率Ｘを乗じた値のうち大きい値をとる方が判定の基準となる基準回数を構成する。
【００２０】
書換手段１３は充電器１にセットされた電池パック２の総充電回数記憶手段５で記憶した総充電回数Ｎ及び同電池パック２の高電圧時充電回数記憶手段６で記憶した高電圧時充電回数ｎの書き換えを行うものであり、充電器１に電池パック２がセットされる毎に当該電池パック２に記憶させた総充電回数Ｎ及び高電圧時充電回数ｎのカウントを１だけ進めて更新する。
【００２１】
上記充電器１による電池パック２の二次電池３の充電は図２に示すように行われる。
【００２２】
即ち、充電器１に電池パック２がセットされると（Ｓ１）、充電器１は書換手段１３により電池パック２の総充電回数記憶手段５で記憶した総充電回数Ｎを更新し（Ｓ２）、この後、電圧検知手段１０により二次電池３の残容量の指標となる電池電圧Ｖｂを検知する（Ｓ３）。
【００２３】
次に充電器１は充電前電池電圧判定手段１１によりＳ３において電圧検知手段１０で検知した二次電池３の充電前の電池電圧Ｖｂ０が閾値Ｖｂ０ａを超えているか否かを判定する（Ｓ４）。ここで、二次電池３の充電前の電池電圧Ｖｂが閾値Ｖｂ０ａを超えていなければ、二次電池３の残容量が少ないと判断し、充電制御手段９により前記定電圧充電時における充電電圧Ｖを所定電圧ＶＨとした通常充電による充電を行う。また、二次電池３の充電前の電池電圧Ｖｂが閾値Ｖｂ０ａを超えていれば、二次電池３の残容量が多いと判断し、充電器１は書換手段１３により電池パック２の高電圧時充電回数記憶手段６で記憶した高電圧時充電回数ｎを更新し（Ｓ６）、この後、以下の高電圧時充電回数判定手段１２による高電圧時充電回数判定に移行する（Ｓ７、Ｓ９）。
【００２４】
高電圧時充電回数判定では、まず、第一判定手段１２ｂにより読出手段１２ａで読み出した高電圧時充電回数ｎが所定回数ｎａを超えているか否かを判定する（Ｓ７）。ここで、高電圧時充電回数ｎが所定回数ｎａを超えていなければ、過去に残容量が多い状態で二次電池３が充電された総回数が少ないと判断し、充電制御手段９により前記定電圧充電時における充電電圧Ｖを所定電圧ＶＨとした通常充電による充電を行う（Ｓ８）。また、高電圧時充電回数ｎが所定回数ｎａを超えていれば、過去に残容量が多い状態で二次電池３が充電された総回数が多いと判断し、以下のＳ９に移行する。
【００２５】
Ｓ９では第二判定手段１２ｃにより読出手段１２ａで読み出した高電圧時充電回数ｎが読出手段１２ａで読み出した総充電回数Ｎに所定比率Ｘを乗じた値を超えているか否かを判定する。ここで、高電圧時充電回数ｎが読出手段１２ａで読み出した総充電回数Ｎに所定比率Ｘを乗じた値を超えていなければ、過去に残容量が多い状態で二次電池３が充電された頻度が低いと判断し、充電制御手段９により前記定電圧充電時における充電電圧Ｖを所定電圧ＶＨとした通常充電による充電を行う（Ｓ１０）。また、高電圧時充電回数ｎが読出手段１２ａで読み出した総充電回数Ｎに所定比率Ｘを乗じた値を超えていれば、定電圧充電時における充電電圧Ｖを所定電圧ＶＨよりも低い所定電圧ＶＬに設定し（Ｓ１２）、この後、定電圧充電時における充電電圧Ｖを所定電圧ＶＨよりも低い所定電圧ＶＬとした低電圧充電による二次電池３の充電を行う。
【００２６】
以上説明した本例の充電器１にあっては、充電対象となる二次電池３の高電圧時充電回数ｎが基準回数を超えている時、即ち、過去に残容量が多い状態で充電された回数が多い二次電池３が充電器１にセットされた時には、当該二次電池３の充電電圧Ｖを通常充電時よりも低く設定でき、二次電池３の電池寿命と相関関係がある充電の電気量を少なくできる。このため、例えば残容量を多く残して継ぎ足し充電を頻繁に行うユーザーがいたとしても、該ユーザーが使用する二次電池３の急激な劣化を抑えて電池寿命を長くできる。
【００２７】
また、本例では、充電対象となる二次電池３の電池電圧Ｖｂ０が閾値Ｖｂ０ａを超えていない時と、電池電圧Ｖｂ０が閾値Ｖｂ０ａを超えているが高電圧時充電回数ｎが基準回数を超えていない時に、当該二次電池３の定電圧充電時における充電電圧Ｖを所定電圧Ｖｈに設定して通常充電を行い、電池電圧Ｖｂ０が閾値Ｖｂ０ａを超え且つ高電圧時充電回数ｎが基準回数を超えている時に、当該二次電池３の定電圧充電時における充電電圧Ｖを前記所定電圧ＶＨよりも低い所定電圧ＶＬに設定して低電圧充電を行うことができ、充電器１によって充電される二次電池３が継ぎ足し充電が頻繁になされたものであったとしても、当該二次電池３の電池電圧Ｖｂが高いものであれば（つまり残容量が少ないものであれば）、定電圧充電時における充電電圧Ｖを高く設定した通常充電を行うことができて充分な充電を行うことができる。
【００２８】
また、本例では、充電対象となる二次電池３の電池電圧Ｖｂ０が閾値Ｖｂ０ａを超えていない時と、充電対象となる二次電池３の電池電圧Ｖｂ０が閾値Ｖｂ０ａを超えているが、高電圧時充電回数ｎが予め設定された所定回数ｎａ又は当該二次電池３の総充電回数Ｎに所定比率Ｘを乗じた値の少なくともいずれか一方を超えていない時に、当該二次電池３の定電圧充電時における充電電圧Ｖを所定電圧Ｖｈに設定して通常充電を行い、充電対象となる二次電池３の電池電圧Ｖｂ０が閾値Ｖｂ０ａを超え、且つ高電圧時充電回数ｎが予め設定された所定回数ｎａを超え、且つ高電圧時充電回数ｎが当該二次電池３の総充電回数Ｎに前記所定比率Ｘを乗じた値を超えた時に、当該二次電池３の定電圧充電時における充電電圧Ｖを前記所定電圧ＶＨよりも低い所定電圧ＶＬに設定して低電圧充電を行うことができ、過去に残容量が多い状態で二次電池３が充電された回数が多く、且つ過去に残容量が多い状態で二次電池３が充電された頻度が高い場合にのみ低電圧充電を行って二次電池３の劣化を抑えることができる。
【図面の簡単な説明】
【００２９】
【図１】本発明の実施の形態の一例のブロック図である。
【図２】同上の充電器による充電方法を示すフローである。
【符号の説明】
【００３０】
１  充電器
３  二次電池
９  充電制御手段
１１  充電前電池電圧判定手段
１２  高電圧時充電回数判定手段
１２ｂ  第一判定手段
１２ｃ  第二判定手段
【図１】
2009089516.tif 000003
【図２】
2009089516.tif 000004